(57)【特許請求の範囲】
【請求項１】
各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、
ユーザによってある番組が指定された際に、当該指定番組の番組情報からリピート番組特定情報を検索する手段、
当該指定番組の番組情報からリピート番組特定情報が検索された場合には、検索したリピート番組特定情報に基づいて、当該指定番組に対するリピート番組の番組情報を取得する手段、ならびに
取得したリピート番組の番組情報に基づいて、リピート番組に関する情報を表示させる手段を備えており、
リピート番組が複数存在する場合には、これらのリピート番組のうち、上記任意の番組の開始時刻より開始時刻が遅いものの中で開始時刻が最も早い１つのリピート番組を特定するためのリピート番組特定情報が、上記任意の番組の番組情報に付加されていることを特徴とするデジタルテレビ放送受信機。
【請求項２】
各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、
ユーザによってある番組が予約された際に、当該予約番組の番組情報からリピート番組特定情報を検索する手段、
当該予約番組の番組情報からリピート番組特定情報が検索された場合には、検索したリピート番組特定情報に基づいて、当該予約番組に対するリピート番組の番組情報を取得する手段、ならびに
取得したリピート番組の番組情報に基づいて、リピート番組に関する情報を表示させる手段を備えており、
リピート番組が複数存在する場合には、これらのリピート番組のうち、上記任意の番組の開始時刻より開始時刻が遅いものの中で開始時刻が最も早い１つのリピート番組を特定するためのリピート番組特定情報が、上記任意の番組の番組情報に付加されていることを特徴とするデジタルテレビ放送受信機。
【請求項３】
各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、
ユーザによってある番組が指定された際に、当該指定番組の番組情報からリピート番組特定情報を検索する手段、
当該指定番組の番組情報からリピート番組特定情報が検索された場合には、検索したリピート番組特定情報に基づいて、当該指定番組に対するリピート番組の番組情報を取得する手段、ならびに
取得したリピート番組の番組情報に基づいて、リピート番組に関する情報を表示させる手段を備えており、
リピート番組が複数存在する場合には、これらのリピート番組のうち、上記任意の番組の開始時刻より開始時刻が早いものの中で開始時刻が最も遅い１つのリピート番組と、上記任意の番組の開始時刻より開始時刻が遅いものの中で開始時刻が最も早い１つのリピート番組との２つのリピート番組を特定するためのリピート番組特定情報が、上記任意の番組の番組情報に付加されていることを特徴とするデジタルテレビ放送受信機。
【請求項４】
各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、
ユーザによってある番組が予約された際に、当該予約番組の番組情報からリピート番組特定情報を検索する手段、
当該予約番組の番組情報からリピート番組特定情報が検索された場合には、検索したリピート番組特定情報に基づいて、当該予約番組に対するリピート番組の番組情報を取得する手段、ならびに
取得したリピート番組の番組情報に基づいて、リピート番組に関する情報を表示させる手段を備えており、
リピート番組が複数存在する場合には、これらのリピート番組のうち、上記任意の番組の開始時刻より開始時刻が早いものの中で開始時刻が最も遅い１つのリピート番組と、上記任意の番組の開始時刻より開始時刻が遅いものの中で開始時刻が最も早い１つのリピート番組との２つのリピート番組を特定するためのリピート番組特定情報が、上記任意の番組の番組情報に付加されていることを特徴とするデジタルテレビ放送受信機。
【発明の詳細な説明】
【０００１】
【発明の属する技術分野】
この発明は、デジタルテレビ放送受信機に関する。
【０００２】
【従来の技術】
デジタル放送では、その特性を生かした多チャンネル放送が行われており、多数の番組数に対応するため、番組のタイトル名、放送時間および放送内容あるいは放送スケジュールなどの番組情報（ＳＩ情報）が提供されている。
【０００３】
受信機側では、そのＳＩ情報をもとに、選局、視聴予約、録画予約等の機能を実現している。ユーザはそのＳＩ情報が受信機側でＧＵＩ化された画面を使って、番組の視聴、録画予約動作を行うようになっている。多チャンネル化にともない、異なるチャンネルで放送時間帯をずらして、同じ内容の番組が何度も繰り返して放送されていることも多い。
【０００４】
多数の番組に対する放送が提供されるデジタルＴＶ放送においては、ユーザが予約（視聴予約、録画予約）しようとする番組の放送時間帯が既に予約された番組の放送時間帯と重なっている、あるいは外出して視聴できない番組があることが必然的に多くなる。
【０００５】
このような場合には、ユーザはそれ以後あるいはそれ以前で放送されている同一内容の番組（リピート番組）を番組ガイド上において手作業で探し出して予約する。この動作を簡略化するために、受信機側で同じあるいは類似の番組名を検索し、表示させるなどの動作を行っていた。この方式では情報を大量に取得し、その中で検索を行わねばならず時間がかかるという問題点がある。
【０００６】
【発明が解決しようとする課題】
この発明は、任意の番組に対するリピート番組の検索が迅速に行なえるようになるデジタルテレビ放送受信機を提供することを目的とする。
【０００７】
【課題を解決するための手段】
この発明による第１のデジタルテレビ放送受信機は、各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、ユーザによってある番組が指定された際に、当該指定番組の番組情報からリピート番組特定情報を検索する手段、当該指定番組の番組情報からリピート番組特定情報が検索された場合には、検索したリピート番組特定情報に基づいて、当該指定番組に対するリピート番組の番組情報を取得する手段、ならびに取得したリピート番組の番組情報に基づいて、リピート番組に関する情報を表示させる手段を備えており、リピート番組が複数存在する場合には、これらのリピート番組のうち、上記任意の番組の開始時刻より開始時刻が遅いものの中で開始時刻が最も早い１つのリピート番組を特定するためのリピート番組特定情報が、上記任意の番組の番組情報に付加されていることを特徴とする。
【０００８】
この発明による第２のデジタルテレビ放送受信機は、各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、ユーザによってある番組が予約された際に、当該予約番組の番組情報からリピート番組特定情報を検索する手段、当該予約番組の番組情報からリピート番組特定情報が検索された場合には、検索したリピート番組特定情報に基づいて、当該予約番組に対するリピート番組の番組情報を取得する手段、ならびに取得したリピート番組の番組情報に基づいて、リピート番組に関する情報を表示させる手段を備えており、リピート番組が複数存在する場合には、これらのリピート番組のうち、上記任意の番組の開始時刻より開始時刻が遅いものの中で開始時刻が最も早い１つのリピート番組を特定するためのリピート番組特定情報が、上記任意の番組の番組情報に付加されていることを特徴とする。
【０００９】
この発明による第３のデジタルテレビ放送受信機は、各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、ユーザによってある番組が指定された際に、当該指定番組の番組情報からリピート番組特定情報を検索する手段、当該指定番組の番組情報からリピート番組特定情報が検索された場合には、検索したリピート番組特定情報に基づいて、当該指定番組に対するリピート番組の番組情報を取得する手段、ならびに取得したリピート番組の番組情報に基づいて、リピート番組に関する情報を表示させる手段を備えており、リピート番組が複数存在する場合には、これらのリピート番組のうち、上記任意の番組の開始時刻より開始時刻が早いものの中で開始時刻が最も遅い１つのリピート番組と、上記任意の番組の開始時刻より開始時刻が遅いものの中で開始時刻が最も早い１つのリピート番組との２つのリピート番組を特定するためのリピート番組特定情報が、上記任意の番組の番組情報に付加されていることを特徴とする。
【００１０】
この発明による第４のデジタルテレビ放送受信機は、各番組に関する情報がその番組の映像・音声データとは別に番組情報として送信されており、任意の番組と放送時間帯が異なるが内容が同一の他の放送予定番組（以下、リピート番組という）が存在する場合には、上記任意の番組の番組情報に、その番組に対するリピート番組を特定するためのリピート番組特定情報が付加されているデジタルテレビ放送における受信機であって、ユーザによってある番組が予約された際に、当該予約番組の番組情報からリピート番組特定情報を検索する手段、当該予約番組の番組情報からリピート番組特定情報が検索された場合には、検索したリピート番組特定情報に基づいて、当該予約番組に対するリピート番組の番組情報を取得する手段、ならびに取得したリピート番組の番組情報に基づいて、リピート番組に関する情報を表示させる手段を備えており、リピート番組が複数存在する場合には、これらのリピート番組のうち、上記任意の番組の開始時刻より開始時刻が早いものの中で開始時刻が最も遅い１つのリピート番組と、上記任意の番組の開始時刻より開始時刻が遅いものの中で開始時刻が最も早い１つのリピート番組との２つのリピート番組を特定するためのリピート番組特定情報が、上記任意の番組の番組情報に付加されていることを特徴とする。
【００１３】
【発明の実施の形態】
以下、この発明の実施の形態について説明する。
【００１４】
図１は、デジタルテレビ放送受信機の構成を示している。
【００１５】
放送波は、アンテナを介してチューナ１に送られ、高周波処理および復調が行われる。チューナ１からの出力はトランスポートストリーム分離部（以下、ＴＳ分離部という）２に送られ、パケットの復号が行われる。
【００１６】
ＴＳ分離部２において、パケットは、ＭＰＥＧデータと、番組案内情報等の付属情報とに分別される。トランスポート分離部２によって分離されたＭＰＥＧ映像データは、映像処理部５に送られる。ＴＳ分離部２によって分離されたＭＰＥＧ音声データは、音声処理部６に送られる。ＴＳ分離部２によって分離された付属情報は、メモリ３に格納される。
【００１７】
ＣＰＵ９には、図示しないリモコン送信機からのリモコン信号が図示しないリモコン受光器を介して入力される。ＣＰＵ９は、チューナ１およびＴＳ分離部２に選局のための情報等を送る。また、ＣＰＵ９は、番組案内画面、各種設定画面などをオンスクリーン表示させるためのＯＳＤ制御信号を、オンスクリーン生成部４に送る。オンスクリーン生成部４は、各種設定画面の表示データを生成して、マルチプレクサ１０に送る。
【００１８】
映像処理部５は、ＴＳ分離部２から送られきたＭＰＥＧ映像データを復調して、マルチプレクサ１０に送る。マルチプレクサ１０は、映像処理部５から出力された映像データにオンスクリーン生成部４から送られてきた表示データをスーパーインポーズ処理して、映像出力端子７に送る。
【００１９】
音声処理部６は、ＴＳ分離部２から送られきたＭＰＥＧ音声データを復調して、音声出力端子８に送る。
【００２０】
図２は、予約（視聴予約、録画予約を含む）を行なった場合に表示される予約確認画面の一例を示している。
【００２１】
予約確認画面１００には、予約された番組に関する情報（チャネル番号、番組名、放送開始時刻および放送終了時刻）が表示される。また、予約された番組と放送時間帯が異なるが内容が同一の番組（リピート番組）が存在する場合には、リピート番組表示ボタン１０１が表示される。
【００２２】
図３は、予約確認画面１００上において、リピート番組表示ボタン１０１が押された場合に表示されるリピート番組選択画面の一例を示している。
【００２３】
リピート番組選択画面２００には、予約された番組に対するリピート番組それぞれに対応する選択項目２０１〜２０３が表示される。各選択項目２０１〜２０３内には、対応するリピート番組のチャンネル番号、放送開始時刻および放送終了時刻が表示される。
【００２４】
図４は、ユーザが予約動作を行なった場合に、ＣＰＵ９によって実行されるリピート番組検索処理手順を示している。
【００２５】
この実施の形態では、任意の番組に対してリピート番組が存在する場合には、これらのリピート番組のうち、当該任意の番組の開始時刻より開始時刻が遅いものの中で開始時刻が最も早い１つのリピート番組を特定するためのリピート番組特定情報が、上記任意の番組の番組情報（ＳＩ情報）に付加されている。リピート番組特定情報は、この例では、リピート番組に対するチャンネル番号および放送開始時刻に関する情報からなる。
【００２６】
ユーザが予約動作を行なうと（ステップ１）、予約された番組に対する番組情報の取得をＴＳ分離部２に要求することにより、予約された番組に対する番組情報を取得する（ステップ２）。そして、取得した番組情報に基づいて、予約された番組に関する情報（チャネル番号、番組名、放送開始時刻および放送終了時刻）からなる予約確認画面１００（図２参照）を表示させる（ステップ３）。
【００２７】
また、取得した番組情報からリピート番組特定情報を検索する（ステップ４）。取得した番組情報からリピート番組特定情報が検索できなかった場合には（ステップ５でＮＯ）、リピート番組検索処理は終了する。つまり、ステップ３で表示させた予約確認画面をそのまま維持する。この後、ユーザによって予約確認画面の消去指令が入力された場合には、予約確認画面が消去される。
【００２８】
取得した番組情報からリピート番組特定情報が検索できた場合には（ステップ５でＹＥＳ）、ステップ３で表示させた予約確認画面内に、リピート番組表示ボタン１０１を表示させる（ステップ６）。
【００２９】
ユーザによって、リピート番組表示ボタン１０１が押された場合には（ステップ７）、リピート番組特定情報によって示されるリピート番組に対する番組情報の取得をＴＳ分離部２に要求することにより、リピート番組特定情報によって示されるリピート番組に対する番組情報を取得する（ステップ８）。
【００３０】
そして、取得したリピート番組の番組情報に基づいて、当該リピート番組のチャンネル番号、放送開始時刻および放送終了時刻が記された選択項目を含むリピート番組選択画面２００（図３参照）を表示させる（ステップ９）。
【００３１】
また、取得したリピート番組の番組情報からリピート番組特定情報を検索する（ステップ１０）。取得したリピート番組の番組情報からリピート番組特定情報が検索できなかった場合には（ステップ１１でＮＯ）、リピート番組検索処理は終了する。つまり、ステップ９で表示させたリピート番組選択画面をそのまま維持する。この後、ユーザによってリピート番組選択画面内の選択項目が選択された場合には、録画予約番組を当該選択項目に対応するリピート番組に変更させ、それに対応した予約確認画面が表示される。
【００３２】
取得したリピート番組の番組情報からリピート番組特定情報が検索できた場合には、ステップ８に戻り、ステップ８、９、１０の処理が再度実行せしめられる。この際には、ステップ９において、リピート番組選択画面に、新たなリピート番組に対応する選択項目が追加される。
【００３３】
上記実施の形態では、任意の番組に対して複数のリピート番組が存在する場合には、これらのリピート番組のうち、当該任意の番組の開始時刻より開始時刻が遅いものの中で開始時刻が最も早い１つのリピート番組を特定するためのリピート番組特定情報が、上記任意の番組の番組情報に付加されており、リピート番組の番組情報の取得は、予約された番組から前方向（未来の方向）にのみ連鎖的に行なわれている。
【００３４】
任意の番組に対してリピート番組が複数存在する場合には、これらのリピート番組のうち、当該任意の番組の開始時刻より開始時刻が早いものの中で開始時刻が最も遅い１つのリピート番組と、当該任意の番組の開始時刻より開始時刻が遅いものの中で開始時刻が最も早い１つのリピート番組との２つのリピート番組を特定するためのリピート番組特定情報を、上記任意の番組の番組情報に付加するようにしてもよい。
【００３５】
この場合には、リピート番組の番組情報の取得は、予約された番組から前方向（未来の方向）に連鎖的に行なわれ、前方向に対する最後のリピート番組の番組情報が取得されると、予約された番組から後ろ方向（過去の方向）に連鎖的に行なわれる。
【００３６】
また、任意の番組に対してリピート番組が複数存在する場合には、これらの全てのリピート番組を特定する情報からなるリピート番組特定情報を付加するようにしてもよい。この場合には、予約された番組の番組情報に基づいて全てのリピート番組の番組情報を取得するための情報が得られるので、リピート番組の番組情報の取得を連鎖的に行なう必要はなくなる。
【００３７】
なお、上記実施の形態では、番組予約時において予約番組に対するリピート番組を検索して表示させる場合について説明したが、この発明は、ユーザが指定した番組に対するリピート番組を検索して表示させる場合にも適用することができる。このようにすると、ユーザが現在視聴している番組をもう一度見たいと考えた場合、その番組に対するリピート番組を検索して表示させることができるようになる。
【００３８】
【発明の効果】
この発明によれば、任意の番組に対するリピート番組の検索が迅速に行なえるようになる。
【図面の簡単な説明】
【図１】デジタルテレビ放送受信機の構成を示すブロック図である。
【図２】予約確認画面の一例を示す模式図である。
【図３】予約確認画面上において、リピート番組表示ボタンが押された場合に表示されるリピート番組選択画面の一例を示す模式図である。
【図４】ユーザが予約動作を行なった場合に、ＣＰＵ９によって実行されるリピート番組検索処理手順を示すフローチャートである。
【符号の説明】
１  チューナ
２  ＴＳ分離部
３  メモリ
４  オンスクリーン生成部
９  ＣＰＵ
【図１】
0003574015.tif 000002
【図２】
0003574015.tif 000003
【図３】
0003574015.tif 000004
【図４】
0003574015.tif 000005